(57)【要約】【課題】本発明は、雨水等の貯留浸透に関わる槽の構築技術である。【解決手段】地下に埋設する槽であって、当該槽は、強度を有する材質で構成した側壁部と、側壁部で囲まれた空間内に、底部および上部に強度を有する基礎用あるいは天井用単位部材で基礎部および天井部を形成し、内部に樹脂製あるいは金属製の充填用単位部材を充填したことを特徴とする強度を有する材質で構成された側壁を有する槽である。充填用単位部材の周囲および底部を遮水用シートで囲み貯留槽とする。【選択図】図1
2007284899.tif 000002
【特許請求の範囲】
【請求項１】
地下に埋設する槽であって、当該槽は、強度を有する材質で構成した側壁部と、側壁部で囲まれた空間内に、底部および上部に強度を有する単位部材で基礎部および天井部を形成し、内部に樹脂製あるいは金属製の単位部材を充填したことを特徴とする強度を有する材質で構成された側壁を有する槽。
【請求項２】
請求項1記載の強度を有する材質で構成された側壁を有する槽において樹脂製あるいは金属製の単位部材の少なくとも底部および周辺部の一部もしくは全部を遮水性のシートで囲んだことを特徴とする強度を有する材質で構成された側壁を有する槽。
【発明の詳細な説明】
【技術分野】
【０００１】
本発明は、雨水等の貯留浸透に関わる槽の構築技術である。
【背景技術】
【０００２】
雨水の流出抑制あるいは有効利用を目的とする地下に埋設する貯留・浸透槽はプラスチックの単位部材を配列し、貯留空間を確保しその周囲を適切なシート類で覆ったもの、ボックスカルバートによるものあるいはコンクリート打ちのもの等、各種のものが提案かつ使用されている。プラスチックの単位部材を使用する例は、特開平9-112792、特開平10-252108、特開平11-222886など各種提案されている。またコンクリート製のボックスカルバートを使用する貯留浸透槽は特開平07-166595に提案されている。
プラスチック単位部材を使用する槽は重機を使用しないで短工期で施工が可能であるが、高深度の垂直土圧、水平土圧の大きな場所にはその強度上使用しがたい問題がある。一方コンクリート製の槽は強度的に問題はないが、重機を使用しなければならないとか工期が長くなる等の問題点がある。なお、貯留槽においてはひび割れなどの問題を完全に解決するのは困難である。
【０００３】
【特許文献１】特開平9-112792
【特許文献２】特開平10-252108
【特許文献３】特開平11-22288
【特許文献４】特開平07-166595
【発明の開示】
【発明が解決しようとする課題】
【０００４】
本発明は、プラスチック製単位部材を使用する利点とコンクリートを使用する利点を合わせた槽の提案にある。
【課題を解決するための手段】
【０００５】
本第1の発明は、地下に埋設する槽であって、当該槽は、強度を有する材質で構成した側壁部と、側壁部で囲まれた空間内に、底部および上部に強度を有する単位部材で基礎部および天井部を形成し、内部に樹脂製あるいは金属製の単位部材を充填した強度を有する材質で構成された側壁を有する槽である。
本第２の発明は、上記載の強度を有する材質で構成された側壁を有する槽において樹脂製あるいは金属製の単位部材の少なくとも底部および周辺部の一部もしくは全部を遮水性のシートで囲んだ強度を有する材質で構成された側壁を有する槽である。
いずれの発明も事前に用意された単位部材を配列することで工期を短縮している。
【発明の効果】
【０００６】
本第１の発明は、強度を有するコンクリートあるいは鋼板の側壁を有する槽の内部に樹脂製、繊維強化プラスチック、ステンレススチール製などの充填用単位部材を充填しその底部、天井部を側壁と同等の強度を有する単位部材を配列したため、水平土圧は側壁と天井部および基礎部用の単位部材からなる梁層で支えられる。単位部材を配列することで工期の短縮が図られる。
本第２の発明は、充填用単位部材の周囲および底部を遮水シートで囲ったため側壁、基礎部用単位部材間の止水を考慮する必要がない。
いずれの発明も、単位部材を組み合わせることで浸透槽あるいは貯留槽を構成する。特に貯留槽の場合その遮水はコンクリート槽に合ってはひびなどのため極めて困難であるが、底部、側壁内周に沿って遮水シートを張り巡らすことで簡単に実施可能である。
【発明を実施するための最良の形態】
【０００７】
以下本第1の発明を図により詳細に説明する。
図1は、本発明の地下に埋設された強度を有する材質で構成された側壁を有する槽の断面を示す概念図である。
断面図に示したとおり、本槽はその周囲側壁がコンクリート製のボックスカルバートなどで構成され、側壁で区画された槽内にその底部にコンクリート製などの平板状あるいは中空の立方体あるいは矩形の単位部材をその表面が水平な底面となるよう配列し基礎部を形成する。
基礎部の上部に樹脂製あるいはステンレススチール製などの比較的柔らかい単位部材を配列充填する。
その上部に基礎部と同じ単位部材を水平な梁となるように配列させ天井部を形成させる。槽に掛かる水平土圧を側壁と基礎部および天井部で支える。
充填用単位部材は図４に示すような雨水流出抑制あるいは有効利用を目的として使用される樹脂製の部材などが使用できる。
基礎用、天井用の単位部材は図５に示すような平板状のコンクリート板、さいころ状の中空部材、Ｕ字形部材、矩形断面の筒状部材などが利用可能である。
【０００８】
基礎部の単位部材を穴あき平板あるいは十字型平板あるいは中空状のさいころ状などとすることで槽に導入した雨水を地下に浸透させることができる。
浸透槽として利用する場合は、充填用単位部材の周囲には特にシート類は必要としない。
【０００９】
貯留を目的あるいは地下水の浸入を防止するなら充填用単位部材の底部およびその周囲を遮水性のシートで囲むことで貯留槽とすることができる。遮水性のシートで囲まれた容積が貯留槽として機能する。
【００１０】
図２は、側壁をコンクリートあるいは鉄製の矢板などで構成した例である。
基礎部、天井部および充填用の単位部材は上記と同じである。浸透槽あるいは貯留槽として使用する場合のシートの使用についても上記となんら変わらない。
【００１１】
図３は、本槽を地下に構築した例を示す概念図である。必要に応じて溢流管を設け、貯留槽と使用する場合にはオリフィス槽あるいは汲み出し用のポンプなどを設けることが行われる。また点検孔、空気抜き孔など適宜必要に応じて設けることは従来の槽となんら変わらない。図では充填用単位部材の上方に取水口を設けているが、側壁を構成するボックスカルバート経由であってもよい。
【００１２】
充填用単位部材の材質は熱可塑性プラスチックあるいはステンレススチールなどの金属製であってもよい。水に触れて安定な材質で必要な強度を有する材質であればよい。
天井用あるいは基礎用単位部材の材質も金属製、コンクリート製等、基礎部、天井部として梁としての水平強度を側壁と共に支えられる強度を有する材質であればよい。
側壁もコンクリート製、鋼板などあるいは必要な強度を有する材質であればよく、現場でコンクリート打ちによっても工場で成形した資材を組み立てるものであってもよい。
【図面の簡単な説明】
【００１３】
【図１】本発明の概念図を示す。
【図２】本発明の他の概念図を示す。
【図３】本発明を地下に埋設した状態を示す概念図を示す。
【図４】本発明に使用する充填用単位部材の概念図である。
【図５】本発明の使用する基礎用および天井用単位部材の概念図である。
【符号の説明】
【００１４】
１  槽
２  強度を有する側壁
３  基礎部
４  天井部
５  充填用単位部材
６  基礎用単位部材
７  天井用単位部材
【図１】
2007284899.tif 000003
【図２】
2007284899.tif 000004
【図３】
2007284899.tif 000005
【図４】
2007284899.tif 000006
【図５】
2007284899.tif 000007